(57)【要約】【課題】ＡＴＭ−ＰＯＮを用いたデータフレーム転送システムにおいて、システム管理者の負担を軽減して、加入者データフレームの識別を可能とする。【解決手段】ＡＴＭ−ＰＯＮで接続された局側装置または加入者接続装置に、加入者端末から送信された上り方向データフレームを受信した時、受信フレームのフレーム識別子を上位装置側で有効となる正規のフレーム識別子に変換する機能と、上位装置側からの下り方向フレームを受信した時、フレーム識別子を加入者側で有効となるローカルなフレーム識別子に変換する機能を持たせる。【選択図】  図２
2004153504.tif 000002
【特許請求の範囲】
【請求項１】
上位装置に接続された局側装置と、それぞれが加入者端末に接続された複数の加入者接続装置との間を受動光網（ＰＯＮ：Ｐａｓｓｉｖｅ  Ｏｐｔｉｃａｌ  Ｎｅｔｗｏｒｋ）で接続し、上記受動光網上ではＡＴＭ−ＰＯＮフレーム形式でデータフレームを転送するデータフレーム転送システムにおいて、上記局側装置が、
上記受動光網から受信したＡＴＭセル群を上り方向データフレームに組立て、フレーム識別子を上位装置側で有効となるフレーム識別子に変更して出力するフレーム組立て手段と、
上記フレーム組立て手段から出力されたデータフレームを上位装置との接続回線に送信するための手段と、
上位装置との接続回線から受信した下り方向データフレームのフレーム識別子を加入者端末側で有効となるフレーム識別子に変更した後、該データフレームをＡＴＭセル群に変換するセル生成手段と、
上記セル生成手段で生成されたＡＴＭセル群を上記受動光網に送信するための手段とを有することを特徴とするデータフレーム転送システム。
【請求項２】
前記局側装置が、ＶＰＩ／ＶＣＩ値と送信フレーム識別子との対応関係を記憶した第１テーブルと、受信フレーム識別子とＶＰＩ／ＶＣＩ値と送信フレーム識別子との対応関係を記憶した第２テーブルとを備え、
前記フレーム組立て手段が、前記上り方向データフレームのフレーム識別子を上記第１テーブルが示す前記ＡＴＭセル群のＶＰＩ／ＶＣＩ値と対応する送信フレーム識別子に変更し、
前記セル生成手段が、上記第２テーブルが示す前記下り方向データフレームのフレーム識別子と対応するＶＰＩ／ＶＣＩ値と送信フレーム識別子を使用して、前記フレーム識別子の変更とＡＴＭセル群への変換を行うことを特徴とする請求項１に記載のデータフレーム転送システム。
【請求項３】
前記第２テーブルにおいて前記下り方向データフレームのフレーム識別子と対応する送信フレーム識別子が未定義の場合、前記セル生成手段が、前記下り方向データフレームからフレーム識別子を削除した後、ＡＴＭセル群への変換を行うことを特徴とする請求項２に記載のデータフレーム転送システム。
【請求項４】
前記フレーム組立て手段が、異なる加入者接続装置から受信した同一フレーム識別子をもつ上り方向データフレームに対して、互いに異なるフレーム識別子を付与することを特徴とする請求項１に記載のデータフレーム転送システム。
【請求項５】
上位装置に接続された局側装置と、それぞれが加入者端末に接続された複数の加入者接続装置との間を受動光網（ＰＯＮ：Ｐａｓｓｉｖｅ  Ｏｐｔｉｃａｌ  Ｎｅｔｗｏｒｋ）で接続し、上記受動光網上ではＡＴＭ−ＰＯＮフレーム形式でデータフレームを転送するデータフレーム転送システムにおいて、上記各加入者接続装置が、
加入者端末との接続回線から受信した上り方向データフレームのフレーム識別子を上記上位装置側で有効となるフレーム識別子に変更した後、上記データフレームをＡＴＭセル群に変換するセル生成手段と、
上記セル生成手段で生成されたＡＴＭセル群を上記受動光網に送信するための手段と、
上記受動光網から選択的に受信したＡＴＭセル群を下り方向データフレームに組立て、フレーム識別子を加入者端末側で有効となるフレーム識別子に変更して出力するフレーム組立て手段と、
上記フレーム組立て手段から出力されたデータフレームを加入者端末との接続回線に送信するための手段とを有することを特徴とするデータフレーム転送システム。
【請求項６】
前記各加入者接続装置が、受信フレーム識別子と送信フレーム識別子との対応関係を記憶した第１テーブルと、受信フレーム識別子とＶＰＩ／ＶＣＩ値と送信フレーム識別子との対応関係を記憶した第２テーブルとを備え、
前記セル生成手段が、上記第２テーブルが示す前記上り方向データフレームのフレーム識別子と対応するＶＰＩ／ＶＣＩ値と送信フレーム識別子を使用して、前記フレーム識別子の変更とＡＴＭセル群への変換を行い、
前記フレーム組立て手段が、上記第１テーブルが示す前記下り方向データフレームのフレーム識別子と対応する送信フレーム識別子を使用して、前記フレーム識別子の変更を行うことを特徴とする請求項５に記載のデータフレーム転送システム。
【請求項７】
前記第１テーブルにおいて前記下り方向データフレームのフレーム識別子と対応する送信フレーム識別子が未定義の場合、前記フレーム組立て成手段が、前記下り方向データフレームからフレーム識別子を削除することを特徴とする請求項６に記載のデータフレーム転送システム。
【発明の詳細な説明】
【０００１】
【発明の属する技術分野】
本発明は、ＡＴＭ（Ａｓｙｎｃｈｒｏｎｏｕｓ  Ｔｒａｎｓｆｅｒ  Ｍｏｄｅ）−ＰＯＮ（Ｐａｓｓｉｖｅ  Ｏｐｔｉｃａｌ  Ｎｅｔｗｏｒｋ）を用いたデータフレーム転送システムに関する。
【０００２】
【従来の技術】
近年、インターネットで扱うデータ量の増大に伴って、アクセス回線の広帯域化が進んできている。アクセス回線を広帯域化策として、光ファイバの導入がある。また、光アクセス区間のデータ転送方式として、上位装置に接続された局側装置と、それぞれ加入者装置に接続されている複数の加入者接続装置との間を光スプリッタを含む光ファイバー網で接続したＰＯＮがある。
【０００３】
ＰＯＮ伝送システムとしては、例えば、ＩＴＵ−Ｔ勧告Ｇ．９８３．１の“Ｂｒｏａｄｂａｎｄ  Ｏｐｔｉｃａｌ  Ａｃｃｅｓｓ  ｓｙｓｔｅｍ  ｏｎ  Ｐａｓｓｉｖｅ  Ｏｐｔｉｃａｌ  Ｎｅｔｗｏｒｋ”（非特許文献１）で知られたＡＴＭ−ＰＯＮが挙げられる。上記勧告で規定されたＰＯＮフレームは、ＡＴＭセルをベースとしており（ＡＴＭ−ＰＯＮ）、上りＰＯＮフレーム（加入者接続装置から局側装置方向のフレーム）は、５６バイトの固定長データ形式でユーザセルを転送し、下りＰＯＮフレーム（局側装置から加入者接続装置方向のフレーム）は、５３バイトの固定長データ形式でユーザセルと制御セルを転送している。
【０００４】
ＡＴＭ−ＰＯＮに代表される光アクセス回線では、各加入者端末から送信された上位装置宛のデータフレームを加入者毎に識別し、不当なデータを排除するようにしている。加入者データの識別には、例えば、ＩＥＥＥ８０２．１Ｑで勧告されているＶＬＡＮ−ＩＤが適用される。ＶＬＡＮ−ＩＤを使用した場合、例えば、各加入者接続装置において、加入者端末から受信した上り方向データフレームの識別子（ＩＤ）を識別し、予め指定されたＩＤ以外の識別子をもつデータフレームの透過を阻止し、指定ＩＤをもつ加入者データのみを局側装置に転送することになる。このようなシステムでは、システム管理者が、各加入者に対し使用すべきＶＬＡＮ−ＩＤを通知する必要があり、その運用と管理がしばしば問題となる。
【０００５】
ＶＬＡＮ−ＩＤの管理を容易にする方法として、例えば、特開２００２−１３５２８２号公報（特許文献１）では、各加入者接続装置が、加入者端末からの受信フレームに付されたユーザＩＤをネットワーク管理装置に通知し、ネットワーク管理装置から加入者接続装置に上記ユーザＩＤに対応するＶＬＡＮ−ＩＤを返送し、加入者接続装置が上記受信データフレームにＶＬＡＮ−ＩＤを付与するようにしている。この方式によれば、各加入者端末に対して、使用すべきＶＬＡＮ−ＩＤをシステム管理者が事前に設定することなく、不当な加入者データを分離することが可能となる。
【０００６】
【非特許文献１】
ＩＴＵ−Ｔ勧告Ｇ．９８３．１の“Ｂｒｏａｄｂａｎｄ  Ｏｐｔｉｃａｌ  Ａｃｃｅｓｓ  ｓｙｓｔｅｍ  ｏｎ  Ｐａｓｓｉｖｅ  Ｏｐｔｉｃａｌ  Ｎｅｔｗｏｒｋ”
【特許文献１】
特開２００２−１３５２８２号公報
【０００７】
【発明が解決しようとする課題】
然るに、上記特許文献１に記載された方式では、各加入者端末に事前にＶＬＡＮ−ＩＤを設定する必要がなくなる反面、各加入者端末に対して、データフレームに付すべきユーザＩＤを予め指定する必要があり、他人のユーザＩＤを使用した上位装置の不正アクセスを防止することが難しい。
【０００８】
また、各加入者端末で使用すべきフレームＩＤをシステム管理者側から割当てる方式では、各加入者端末は、システム管理者側から指定された網側で固有のＩＤを使用してデータフレームを送出する必要がある。この場合、システム管理者は、各加入者接続装置に収容された多数の加入者端末について、それぞれの設定内容まで管理しなければならないため、その負担が大きい。また、加入者接続装置を介して既存ユーザ網をＰＯＮに収容する場合、ユーザ網側でそれ迄使用してきたＩＤ情報の変更作業や、システム側でのＩＤ選択が必要となるため、これもシステム管理者の負担となる。
【０００９】
本発明の目的は、ＡＴＭ−ＰＯＮを用いたデータフレーム転送システムにおいて、システム管理者の負担を軽減して、加入者データフレームの識別を可能とすることにある。
本発明の他の目的は、特定の加入者接続装置に属した加入者が、別の加入者接続装置に属した他の加入者の識別子を不正に使用して上位装置から情報を取得するのを防止できるＡＴＭ−ＰＯＮデータフレーム転送システムを提供することにある。
本発明の更に他の目的は、同一のフレーム識別子を異なる加入者接続装置に接続された複数の加入者装置で共用できるＡＴＭ−ＰＯＮデータフレーム転送システムを提供することにある。
【００１０】
【課題を解決するための手段】
上記目的を達成するために、本発明によるＡＴＭ−ＰＯＮを用いたデータフレーム転送システムでは、局側装置または加入者接続装置に、加入者端末から送信された上り方向データフレームを受信した時、受信フレームのフレーム識別子を上位装置側で有効となる正規のフレーム識別子に変換する機能と、上位装置側からの下り方向フレームを受信した時、フレーム識別子を加入者側で有効となるローカルなフレーム識別子に変換する機能を持たせたことを特徴とする。尚、フレーム識別子を付けずにデータフレームを送信する加入者端末に対しては、上位装置側から受信した下り方向フレームに付されたフレーム識別子を局側装置または加入者接続装置で削除して、加入者端末に転送する。
【００１１】
【発明の実施の形態】
以下、本発明の実施形態について図面を参照して説明する。
図１は、ＡＴＭ−ＰＯＮを利用した本発明によるデータ転送システムの全体的なシステム構成の１例を示す。
【００１２】
図１において、１０は局側装置、２０（２０−１〜２０−ｎ）は、光網を介して上記局側装置１０に接続された加入者接続装置、３０（３０−１〜３０−ｎ）は、例えば、イーサネット（登録商標名）等の回線１３０（１３０−１〜１３０−ｎ）を介して加入者接続装置２０に接続された加入者端末、４０は、例えば、イーサネット等の回線１２０を介して上記局側装置１０に接続された上位装置、５０は、回線１５０を介して上記局側装置１０に接続されたオペレーション装置である。上位装置４０は、例えば、ルータ等の装置であり、図示しない他の複数の通信装置またはサーバ等のデータ処理装置を収容している。
【００１３】
光網は、光ファイバ１００、１０１〜１０ｎと光スプリッタ１１０とからなり、ＩＴＵ−Ｔ勧告Ｇ．９８３．１によるＡＴＭ−ＰＯＮを構成している。光スプリッタ１１０は、局側装置１０から光ファイバ１００に送出された光信号を各加入者接続装置２０−１〜２０−ｎに接続された光ファイバ１０１〜１０ｎに均等に分配すると共に、光ファイバ１０１〜１０ｎからの光信号を加算して光ファイバ１００に転送する機能を持つ。
【００１４】
局側装置１０と上位装置４０との間で送受信されるデータフレームには、加入者を識別できるように加入者毎に固有の識別子（フレームＩＤ）が付与される。上記ＩＤとしては、例えば、ＩＥＥＥ８０２．１Ｑで標準化されているＶＬＡＮ−ＩＤが適用される。
【００１５】
局側装置１０と加入者接続装置２０との間では、データフレームを固定長のＡＴＭセルに変換し、ＩＴＵ−Ｔ  Ｇ．９８３．１で標準化されているＡＴＭ−ＰＯＮフレーム形式でデータが送受信される。局側装置１０から送出された下り方向のＡＴＭセルは、全加入者接続装置に到着する。これらのＡＴＭセルには、局側装置と各加入者接続装置との間に設定されたＶＰ／ＶＣと対応するＶＰＩ（Ｖｉｒｔｕａｌ  Ｐａｓｓ  Ｉｄｅｎｔｉｆｉｅｒ）／ＶＣＩ（Ｖｉｒｔｕａｌ  Ｃｈａｎｎｅｌ  Ｉｄｅｎｔｉｆｉｅｒ）が付与してあり、各加入者接続装置２０は、ＶＰＩ／ＶＣＩに基づいてＡＴＭセルの受信／廃棄を判断する。
【００１６】
局側装置１０は、上位装置１０４から受信した下り方向データフレームからフレームＩＤを抽出し、後述する下りフレーム変換テーブル１８から上記フレームＩＤと対応するＶＰＩ／ＶＣＩの値を求め、このＶＰＩ／ＶＣＩ値を適用して受信データフレームを一連のＡＴＭセルに変換し、下りＰＯＮフレーム形式で光ファイバ１００に送出する機能と、光ファイバ１００を介して各加入者接続装置２０から受信したＡＴＭセル群をＶＰＩ／ＶＣＩ別にバッファリングして元のデータフレームに戻し、後述する上りフレーム変換テーブル１９に基づいてフレームＩＤを書き換えた後、上位装置４０に送信する機能とを備えている。
【００１７】
尚、局側装置１０は、更に他の機能として、複数の加入者接続装置２０（２０−１〜２０−ｎ）から送信されたＡＴＭセルが光スプリッタ１１０で衝突するのを避けるために、各加入者接続装置からの上り方向のＡＴＭセルの送出タイミングを制御する機能を備えている。
【００１８】
各加入者接続装置２０は、ＰＯＮを介して局側装置１０から受信したＡＴＭセルについて、ＶＰＩ／ＶＣＩ値からその受信／廃棄を判断し、選択的に受信した一連のＡＴＭセルから元のデータフレームを組立てた後、回線１３０（１３０−１〜１３０−ｎ）を介して加入者端末３０（３０−１〜３０−ｎ）に転送する。また、回線１３０を介して加入者端末から上り方向データフレームを受信すると、後述するＶＰＩ／ＶＣＩテーブル２７に予め登録されたＶＰＩ／ＶＣＩ値を持つＡＴＭセル群に変換した後、局側装置１０から指定されたタイミングでＰＯＮに送出する。
【００１９】
局側装置１０で参照する下りフレーム変換テーブル１８と上りフレーム変換テーブル１９へのエントリ設定は、オペレーション装置５０によって行われる。各加入者接続装置２０が備えるＶＰＩ／ＶＣＩテーブル２７へのエントリ設定は、局側装置１０を介して上記オペレーション装置５０によって行われる。この場合、エントリ設定のための制御情報は、下りＰＯＮフレームに挿入される制御セルによって宛先加入者接続装置に転送される。
【００２０】
図２は、局側装置１０の１実施例を示すブロック図である。
局側装置１０は、回線１２０に接続されたネットワークインタフェース部１１と、ＰＯＮ（光ファイバ１００）に接続されたＥ／Ｏ変換回路およびＯ／Ｅ変換回路を含む光インタフェース部１２と、光インタフェース部１２に接続されたＰＯＮ制御部１３と、ネットワークインタフェース部１１から受信した下りデータフレームを一連のＡＴＭセル群に変換してＰＯＮ制御部１３に出力するセル生成部１４と、ＰＯＮ制御部１３から受信した上り方向のＡＴＭセルをＶＰＩ／ＶＣＩ別にバッファリングするバッファメモリ１５と、バッファメモリ１５に蓄積された１フレーム分のＡＴＭセルから元のデータフレームを組立て、ネットワークインタフェース部１１に出力するフレーム組立て部１６とを有する。
【００２１】
本実施例では、セル生成部１４は、下りフレーム情報検索部１７Ａが下りフレーム変換テーブル１８から検索した下りフレーム変換情報に従って、下りデータフレームのフレームＩＤを書き換えとＡＴＭセルへの変換を行う。
下りフレーム変換テーブル１８は、例えば、図３に示すように、受信フレームＩＤ１８１と対応して、ＶＰＩ値１８２と、ＶＣＩ値１８３と、送信フレームＩＤ１８４とを示す複数のエントリ１８０−１、１８０−２、・・・からなる。
【００２２】
受信フレームＩＤ１８１は、局側装置１０と上位装置４０との間の送受信フレームに適用される正規のフレーム識別子を示し、送信フレームＩＤ１８４は、各加入者接続装置２０と加入者端末３０との間の送受信フレームに適用されるローカルなフレーム識別子を示している。例えば、エントリ１８０−ｍ、１８０−ｎのように、送信フレームＩＤ１８４が未定義（“−”）となっていた場合は、加入者接続装置２０と加入者端末３０との間の送受信フレームにフレームＩＤがないことを意味している。
【００２３】
下りフレーム情報検索部１７Ａは、ネットワークインタフェース部１１から受信した下りデータフレームからフレームＩＤを抽出し、下りフレーム変換テーブル１８から上記フレームＩＤに一致した受信フレームＩＤ１８１をもつエントリを検索し、該エントリが示すＶＰＩ／ＶＣＩ値および送信フレームＩＤを下りフレーム変換情報としてセル生成部１４に出力する。
【００２４】
セル生成部１４は、ネットワークインタフェース部１１から受信した下りデータフレームのフレームＩＤを上記下りフレーム情報検索部１７Ａから与えられた送信フレームＩＤに従って書き換えた後、該データフレームを固定長の複数のデータブロックに分割し、各データブロックに上記検索部１７Ａから与えられたＶＰＩ／ＶＣＩ値をもつセルヘッダを付加して、一連のＡＴＭセルを生成する。送信フレームＩＤ１８４が未定義となっていた場合は、フレームＩＤを削除した下りデータフレームが一連のＡＴＭセルに変換される。
【００２５】
一方、フレーム組立て部１６は、バッファメモリ１５から読み出した一連のＡＴＭセルから上り方向データフレームを組立て、フレームＩＤをフレームＩＤ検索部１７Ｂが上りフレーム変換テーブル１９から検索したフレームＩＤに書き換えた後、ネットワークインタフェース部１１に出力する。
【００２６】
上りフレーム変換テーブル１９は、例えば、図４に示すように、ＶＰＩ値１９１、ＶＣＩ値１９２と、送信フレームＩＤ１９３との関係を示す複数のエントリからなっている。ここで、送信フレームＩＤ１９３は、局側装置１０と上位装置４０との間の送受信フレームに適用すべき正規のフレーム識別子を示している。
【００２７】
フレームＩＤ検索部１７Ｂは、上りフレーム変換テーブル１９から、フレーム組立て部１６が指定した上り方向ＡＴＭセルのＶＰＩ／ＶＣＩ値に該当するエントリを検索し、該エントリが示す送信フレームＩＤをフレーム組立て部１６に出力する。従って、本実施例では、各加入者端末から上位装置に送信された上り方向データフレームがもつローカルなフレームＩＤが、上記フレーム組立て部１６によって、上りフレーム変換テーブル１９で指定された正規のフレームＩＤに変更される。上り方向ＡＴＭセルから組立てたデータフレームにフレームＩＤが付されていなかった場合、上記フレーム組立て部１６によって、正規のフレームＩＤが付加されることになる。
【００２８】
図５は、加入者接続装置２０−１の１実施例を示すブロック図である。他の加入者接続装置２０−２〜２０−ｎも同様の構成となっている。
加入者接続装置２０−１は、ＰＯＮ（光ファイバ１０１）に接続されたＥ／Ｏ変換回路およびＯ／Ｅ変換回路を含む光インタフェース部２１と、光インタフェース部２１に接続されたＰＯＮ制御部２２と、加入者端末側の回線１３０−１に接続されたネットワークインタフェース部２３と、ＰＯＮ制御部２２から受信した下り方向ＡＴＭセルのＶＰＩ／ＶＣＩ値をチェックして、予め決められたＶＰＩ／ＶＣＩ値をもつＡＴＭセルのみを透過させるフィルタ部２４と、フィルタ部２４を透過した一連のＡＴＭセルから元のデータフレームを組立て、ネットワークインタフェース部２３に出力するフレーム組立て部２５と、ネットワークインタフェース部２３から受信した上り方向データフレームを固定長の複数のデータブロックに分割し、検索部２８が指定するＶＰＩ／ＶＣＩを持つ一連のＡＴＭセルに変換して、ＰＯＮ制御部２２に出力するセル生成部２６とを有する。
【００２９】
２７は、回線１３０−１に収容された加入者端末が使用するローカルなフレームＩＤの値と対応して、ＡＴＭセルに付すべきＶＰＩ／ＶＣＩの値を示す複数のエントリからなるＶＰＩ／ＶＣＩテーブルである。検索部２８は、ネットワークインタフェース部２３からセル生成部２６に供給される上り方向データフレームがもつローカルなフレームＩＤを検索キーとして、ＶＰＩ／ＶＣＩテーブル２７から該当するＶＰＩ、ＶＣＩの値を読出し、これをセル生成部２６に出力する。上り方向データフレームにフレームＩＤが未設定の場合は、加入者接続装置毎に予め割当てられた特定のＶＰＩ／ＶＣＩ値がセル生成部２６に出力される。
【００３０】
セル生成部２６は、これらのＶＰＩ／ＶＣＩ値を使用して、上りデータフレームをＡＴＭセルに変換する。また、フィルタ部２４は、ＰＯＮ制御部２２から供給される下り方向ＡＴＭセルのうち、上記ＶＰＩ／ＶＣＩテーブル２７に登録されたＶＰＩ／ＶＣＩ値をもつＡＴＭセルのみを選択的に透過する。
ＰＯＮ制御部２２は、セル生成部２６が出力した上り方向のＡＴＭセルを局側装置１０のＰＯＮ制御部１３が指定したタイミングで光インタフェース部２１に出力する。
【００３１】
図６は、上述した局側装置１０と加入者接続装置２０とからなる図１に示したデータ転送システムにおけるデータフローの１例を示す。
ここでは、局側装置１０上りフレーム変換テーブル１９に、「ＶＰＩ−１／ＶＣＩ−１」、「ＶＰＩ−２、ＶＣＩ−２」に対応する送信フレームＩＤとして、それぞれ「ＩＤ−Ｎ１」と「ＩＤ−Ｎ２」が登録され、下りフレーム変換テーブル１８には、受信フレームＩＤ「ＩＤ−Ｎ１」、「ＩＤ−Ｎ２」に対応する下りフレーム変換情報として、それぞれ「ＶＰＩ−１、ＶＣＩ−１、ＩＤ−１」と「ＶＰＩ−２、ＶＣＩ−２、ＩＤ−１」が登録されているものと仮定する。
【００３２】
また、加入者接続装置２０−１のＶＰＩ／ＶＣＩテーブル２７には、ローカルなフレーム識別子「ＩＤ−１」に対応して「ＶＰＩ−１、ＶＣＩ−１」が登録され、加入者接続装置２０−２のＶＰＩ／ＶＣＩテーブル２７には、ローカルなフレーム識別子「ＩＤ−１」に対応して「ＶＰＩ−２、ＶＣＩ−２」が登録され、システム管理者から加入者端末３０−１、３０−２のユーザに対して、送信フレームに適用すべきフレーム識別子として、同一のＩＤ値「ＩＤ−１」が指定されているものと仮定する。
【００３３】
加入者端末３０−１から送信された識別子「ＩＤ−１」をもつデータフレーム３０１は、加入者接続装置２０−１のセル生成部２６によって、セルヘッダに「ＶＰＩ−１／ＶＣＩ−１」をもつＡＴＭセル群３０２に変換して、局側装置１０に転送される。これらのＡＴＭセル群３０２は、局側装置１０のフレーム組立て部１６によって、元のデータフレームに組立てられ、フレームＩＤを上りフレーム変換テーブル１９から求めた送信フレームＩＤ「ＩＤ−Ｎ１」に書き換え、データフレーム３０３として上位装置４０に転送される。
【００３４】
同様に、加入者端末３０−２が送信した識別子「ＩＤ−１」をもつデータフレーム３０４は、加入者接続装置２０−２のセル生成部２６で「ＶＰＩ−２／ＶＣＩ−２」をもつＡＴＭセル群３０５に変換され、ＰＯＮを介して局側装置１０に転送される。これらのＡＴＭセル群は、局側装置１０のフレーム組立て部１６によって、元のデータフレームに組立てられ、上りフレーム変換テーブル１９から求めた送信フレームＩＤ「ＩＤ−Ｎ２」をもつデータフレーム３０６として上位装置４０に転送される。
【００３５】
上位装置４０が加入者端末３０−１宛に送信する下り方向のデータフレーム３０７は、上り方向のデータフレーム３０３と同一のフレームＩＤ「ＩＤ−Ｎ１」をもつ。局側装置１０のセル生成部１４は、下りフレーム変換テーブル１８が示すフレーム変換情報に従って、上記データフレーム３０７のフレームＩＤを「ＩＤ−１」に書き換えた後、「ＶＰＩ−１／ＶＣＩ−１」をもつＡＴＭセル群３０８に変換する。これらのＡＴＭセルは、ＰＯＮに接続された全ての加入者接続装置２０−１〜２０−ｎに転送される。
【００３６】
「ＶＰＩ−１／ＶＣＩ−１」は、加入者接続装置２０−１に割当てられた値であり、加入者接続装置２０−２には無関係の値となっている。従って、加入者接続装置２０−２では、これらＡＴＭセル群３０８がフィルタ部２４で廃棄処理される。加入者接続装置２０−１では、これらＡＴＭセル群３０８がフィルタ部２４を透過し、フレーム組立て部２５によって元のデータフレームに組立てられ、フレームＩＤ「ＩＤ−１」をもつデータフレーム３０９として回線１３０−１に転送される。
【００３７】
上記データフローから明らかなように、本発明によれば、異なる加入者接続装置に収容された複数の加入者端末が同一のフレームＩＤを使用した場合でも、上位装置に転送する前に、局側装置１０で加入者毎に固有のフレームＩＤに書き換えられ、上位装置側で受信フレームの送信元を分別することが可能となる。また、加入者端末がフレームＩＤを付けずにデータフレームを送出した場合でも、加入者接続装置がＡＴＭセルに付与したＶＰＩ／ＶＣＩ値に応じて、局側装置１０が自動的にフレームＩＤを与えるようになっているため、上位装置側での受信フレームの送信元分別が可能となる。
【００３８】
図７は、加入者接続装置２０−１に接続された加入者端末のユーザが、他の加入者接続装置に属した加入者端末ユーザのフレームＩＤ「ＩＤ−ｘ１」を不正に使用して、上位装置をアクセスした場合のデータフローの１例を示す。
不正なフレームＩＤである「ＩＤ−Ｘ１」をもつデータフレーム３１１を受信した加入者接続装置２０−１では、セル生成部２６によって、受信フレームを自装置に割り振られた特定のＶＰＩ／ＶＣＩ値、例えば、「ＶＰＩ−１／ＶＣＩ−１」をもつＡＴＭセル群３１２に変換し、局側装置１０に転送する。局側装置１０のフレーム組立て部１６は、ＡＴＭセル群３１２から組立てられた上りデータフレームのフレームＩＤを、上りフレーム変換テーブル１９に「ＶＰＩ−１／ＶＣＩ−１」と対応して登録されている送信フレームＩＤ、例えば「ＩＤ−Ｎ１」に置き換え、上りデータフレーム３１３として上位装置４０に転送する。
【００３９】
上位装置４０が、上りデータフレーム３１３に応答して、フレームＩＤ「ＩＤ−Ｎ１」をもつ下りデータフレーム３１４を送信すると、局側装置１０では、セル生成部１４により、フレームＩＤを下りフレーム変換テーブル１８が示す送信フレームＩＤ「ＩＤ−１」に書き換えた後、「ＶＰＩ−１／ＶＣＩ−１」をもつＡＴＭセル群３１５に変換する。これらのＡＴＭセル群３１５は、ＰＯＮに接続された全ての加入者接続装置２０−１〜２０−ｎに転送される。
【００４０】
「ＶＰＩ−１／ＶＣＩ−１」は、加入者接続装置２０−１に割当てられた値であるため、ＡＴＭセル群３１５は、加入者接続装置２０−１で受信処理され、フレーム組立て部２５によって元のデータフレームに組立てられ、フレームＩＤ「ＩＤ−１」をもつデータフレーム３１６として回線１３０−１に転送される。この場合、データフレーム３１６のフレームＩＤは、不正加入者端末で使用しているフレームＩＤ「ＩＤ−Ｘ１」とは異なった値となっているため、不正加入者端末による上位装置４０からの応答データの受信処理を回避できる。
【００４１】
図８は、同一ユーザに対して用途に応じた複数のフレームＩＤを割当てた場合のデータフローの１例を示す。
ここで、局側装置１０の上りフレーム変換テーブル１９には、「ＶＰＩ−１１／ＶＣＩ−１１」、「ＶＰＩ−１２／ＶＣＩ−１２」に対応する送信フレームＩＤとして、それぞれ「ＩＤ−Ｎ１」と「ＩＤ−Ｎ２」が登録され、下りフレーム変換テーブル部１８には、受信フレームＩＤ「ＩＤ−Ｎ１」、「ＩＤ−Ｎ２」に対応して、それぞれ「ＶＰＩ−１１／ＶＣＩ−１１、ＩＤ−１」と「ＶＰＩ−１２／ＶＣＩ−１２、ＩＤ−２」が登録されているものと仮定する。
また、加入者接続装置２０−１のＶＰＩ／ＶＣＩテーブル２７には、受信フレームＩＤ「ＩＤ−１」、「ＩＤ−２」と対応して、それぞれ「ＶＰＩ−１１／ＶＣＩ−１１」と「ＶＰＩ−１２／ＶＣＩ−１２」が登録されているものと仮定する。加入者端末３０−１のユーザには、或るサービスクラスのデータフレームにはフレーム識別子「ＩＤ−１」を適用し、別のサービスクラスのデータフレームには「ＩＤ−２」を適用するように予め指示されている。
【００４２】
加入者端末３０−１からフレーム識別子「ＩＤ−１」をもつデータフレームを受信すると、加入者接続装置２０−１のセル生成部２６は、受信フレームを「ＶＰＩ−１１／ＶＣＩ−１１」をもつＡＴＭセル群３２２に変換して、局側装置１０に転送する。
局側装置１０のフレーム組立て部１６は、ＡＴＭセル群３２２から再生された上りデータフレームのフレームＩＤを、上りフレーム変換テーブル１９に「ＶＰＩ−１１／ＶＣＩ−１１」と対応して登録された送信フレームＩＤ「ＩＤ−Ｎ１１」に置き換え、上りデータフレーム３２３として上位装置４０に転送する。
【００４３】
加入者端末３０−１からフレーム識別子「ＩＤ−２」をもつデータフレームを受信すると、加入者接続装置２０−１のセル生成部２６は、受信フレームを「ＶＰＩ−１２／ＶＣＩ−１２」をもつＡＴＭセル群３３２に変換して、局側装置１０に転送する。
局側装置１０のフレーム組立て部１６は、ＡＴＭセル群３３２から再生された上りデータフレームのフレームＩＤを、上りフレーム変換テーブル１９に「ＶＰＩ−１２／ＶＣＩ−１２」と対応して登録された送信フレームＩＤ「ＩＤ−Ｎ１２」に置き換え、上りデータフレーム３３３として上位装置４０に転送する。
【００４４】
このように、同一の加入者接続装置に収容された加入者端末に複数のフレームＩＤを割当てておき、ユーザにサービス種別に応じて適用ＩＤを変えさせ、上位装置に対して異なったフレームＩＤでデータフレームを転送し、上位装置側にフレームＩＤに応じた優先度で応答処理を実行させるようにした場合、ユーザに対して優先度に応じた品質の情報サービスを提供することが可能となる。
【００４５】
図９は、本発明の他の実施例として、フレームＩＤの書き換え機能を加入者接続装置に持たせた場合の加入者接続装置２０−１のブロック構成図を示す。
図５の構成と比較すると、本実施例は、フレーム組立て部２５の出力側に、フレームＩＤ変換テーブル２９０を参照して下りデータフレームのフレームＩＤを書き換えるフレーム変換部２９を設け、ＶＰＩ／ＶＣＩテーブル２７に代えて上りフレーム変換テーブル２７０を使用した点に特徴がある。
【００４６】
上りフレーム変換テーブル２７０は、例えば、図１０に示すように、受信フレームＩＤ２７１と対応して、ＶＰＩ値２７２、ＶＣＩ値２７３、送信フレームＩＤ２７４を指定した複数のエントリからなり、図５のＶＰＩ／ＶＣＩテーブル２７に送信フレームＩＤ２７４を追加した構成となっている。この場合、送信フレームＩＤ２７４の値は、図４で説明した局側装置１０と上位装置４０との間での送受信フレームに適用される正規のフレームＩＤ１９３を示している。
【００４７】
本実施例では、ネットワークインタフェース部２３から上りデータフレームがセル生成部２６に供給された時、検索部２８によって、上りフレーム変換テーブル２７０から、受信フレームＩＤが受信フレームのローカルなフレームＩＤと一致するエントリを検索し、該当するＶＰＩ値２７２、ＶＣＩ値２７３、送信フレームＩＤ２７４をセル生成部２６に出力する。セル生成部２６は、受信フレームのフレームＩＤを送信フレームＩＤに書き換えた後、ＶＰＩ値２７２とＶＣＩ値２７３を適用して、受信フレームをＡＴＭセルに変換する。
【００４８】
一方、フレームＩＤ変換テーブル２９０は、図１１に示すように、受信フレームＩＤ２９１と送信フレームＩＤ２９２との対応関係を示す複数のエントリからなっている。フレーム変換部２９は、上記フレームＩＤ変換テーブル２９０から、受信フレームＩＤ２９１の値がフレーム組立て部２５の出力フレームに付された正規のフレームＩＤと一致するエントリを検索し、該エントリが示す出力フレームＩＤ２９２を適用して、上記出力フレームのフレームＩＤを書き換える。この場合、出力フレームＩＤ２９２は、加入者接続装置２０−１と加入者端末３０−１との間で有効なローカルなフレームＩＤを示している。
【００４９】
本実施例のように、加入者接続装置側にフレームＩＤの書き換え機能を持たせた場合、局側装置１０では、図２に示した上りフレーム変換テーブル１９とフレームＩＤ検索部１７Ｂが不要となる。また、下りフレーム変換テーブル１８には送信フレームＩＤ１８４が不要となり、セル生成部１４では、ネットワークインタフェース１１からの受信フレームを単にＡＴＭセル群に変換すればよい。
【００５０】
【発明の効果】
以上の実施例から明らかなように、本発明によれば、加入者接続装置または局側装置において、受信フレームＩＤの追加または書き換えを行うようにしているため、加入者端末側でのローカルなフレームＩＤの使用が可能となる。従って、ＡＴＭ−ＰＯＮを利用する多数の加入者端末に対して固有のＩＤを割当てる必要がなくなり、システムの管理が容易となる。
【図面の簡単な説明】
【図１】ＡＴＭ−ＰＯＮを用いた本発明によるデータフレーム転送システムの全体的なシステム構成を示す図。
【図２】本発明による局側装置１０の１実施例を示すブロック構成図。
【図３】局側装置１０が参照する下りフレーム変換テーブル１８の内容を示す図。
【図４】局側装置１０が参照する上りフレーム変換テーブル１９の内容を示す図。
【図５】本発明による加入者接続装置２０−１の１実施例を示すブロック構成図。
【図６】本発明におけるデータ転送フローの１例を示す図。
【図７】本発明におけるデータ転送フローの他の例を示す図。
【図８】本発明におけるデータ転送フローの更に他の例を示す図。
【図９】本発明による加入者接続装置２０−１の他の実施例を示すブロック構成図。
【図１０】加入者接続装置２０が参照する上りフレーム変換テーブル２７０の内容を示す図。
【図１１】加入者接続装置２０が参照するフレームＩＤ変換テーブル２９０の内容を示す図。
【符号の説明】
１０：局側装置、２０：加入者接続装置、３０：加入者端末、４０：上位装置、５０：オペレーション装置、１００〜１０ｎ：光ファイバ、
１１０：光スプリッタ、１１、２３：ネットワークインタフェース、
１２、２１：光インタフェース、１３、２２：ＰＯＮ制御部、
１４、２６：セル生成部、１５：バッファメモリ、
１６、２５：フレーム組立て部、１７Ａ：下りフレーム情報検索部、
１７Ｂ：フレームＩＤ検索部、１８：下りフレーム変換テーブル、
１９：上りフレーム変換テーブル、２４：フィルタ部、
２７：ＶＰＩ／ＶＣＩテーブル、２８：検索部。
【図１】
2004153504.tif 000003
【図２】
2004153504.tif 000004
【図３】
2004153504.tif 000005
【図４】
2004153504.tif 000006
【図５】
2004153504.tif 000007
【図６】
2004153504.tif 000008
【図７】
2004153504.tif 000009
【図８】
2004153504.tif 000010
【図９】
2004153504.tif 000011
【図１０】
2004153504.tif 000012
【図１１】
2004153504.tif 000013